(57)【要約】【課題】構造を簡単にし、且つ瓶体の密封状態を保持して、オイルの外漏れを防止する無火式磁器芳香瓶を提供する。      【解決手段】無火式磁器芳香瓶は、主に芯ヘッドの底側に上向き凹形の嵌合槽を設置し、嵌合槽の中央には嵌入孔を貫設する。また、子の嵌入孔に凸形の套筒を入れる。套筒の外周には凹んだ環溝が成形され、そこに軟質材のリング座金を設置する。更に套筒の中孔開口には挟持爪が設置され、綿芯は套筒の中孔に挿し込み、挟持爪で固定し、芯ヘッドを套筒で瓶体の瓶口に挿し込み、リング座金で瓶頚の内壁をしっかりと締め、瓶口を密封状態にする。【選択図】図４
0003110141.tif 000002
【実用新案登録請求の範囲】
【請求項１】
主に瓶体及び芯ヘッドから構成され、瓶体の上端に瓶口を具えた瓶頚を成形し、芯ヘッドは瓶体の瓶頚上で塞いで定位し、綿芯を瓶体内部に入れる無火式磁器芳香瓶において、
芯ヘッドの底中央には嵌合槽が成形され、その嵌合槽中央には嵌入孔が貫設され、その嵌入孔に套筒を入れて定位させ、套筒の外周面には環溝が成形され、軟質材のリング座金を環溝に設置し、且つ套筒の中孔開口には複数の挟持爪を等間隔に設置し、綿芯を中孔から入れた後、挟持爪で定位し、瓶体の瓶口内径は套筒の外径に相当し、底に套筒を入れて定位することを特徴とする無火式磁器芳香瓶。
【請求項２】
主に瓶体及び芯ヘッドから構成され、瓶体の上端に瓶口を具えた瓶頚を成形し、芯ヘッドは瓶体の瓶頚上で塞いで定位し、綿芯を瓶体内部に入れる無火式磁器芳香瓶において、
芯ヘッドの底中央には嵌合槽が成形され、その嵌合槽中央には嵌入孔が貫設され、その嵌入孔に套筒を入れて定位させ、套筒の外周面には槽溝が成形され、円形リング座金を槽溝に設置し、且つ套筒の中孔開口には複数の挟持爪を等間隔に設置し、綿芯を中孔から入れた後、挟持爪で定位し、瓶体の瓶口内径は套筒の外径に相当し、底に套筒を入れて定位することを特徴とする無火式磁器芳香瓶。
【考案の詳細な説明】
【技術分野】
【０００１】
本考案は、無火式磁器芳香瓶に関するもので、構造が簡単で、且つ瓶体の密封状態を保持して、オイルの外漏れを防止するものである。
【背景技術】
【０００２】
今日、ストレスの多い社会に於いて、我々は様々な方法で精神を安定させる。その中で、今日アロマセラピーが注目されている。アロマオイルの香りを嗅ぐことによって、リラックス状態を作り出す。一般に購入されているのは点火式で、アロマオイルの中にアルコールを注入し、揮発力を高める。芯ヘッドに火をつけ、綿芯を経て芯ヘッドまで染み込んだオイルが燃焼して揮発し、香気が大気中に放出される。しかし、不注意で瓶を倒したりすると、火傷や火事の危険を伴う。
【０００３】
このため、無火式磁器芳香瓶が出ており、図１，２，３に示すとおり、瓶体１、芯ヘッド２、ナット３、ネジカバー４から構成される。そのうち、瓶体１は中空で、上端中央には突起した瓶頚１１が設置される。その瓶頚１１には貫通した瓶口１２が成形される。芯ヘッド２は、裏側に陥没した納置孔２１が成形され、その納置孔２１中央には通孔２２が貫設される。またナット３は、下に開口のある蓋体で、その内部環状壁にはネジ紋３１が成形される。上端面中央には通孔３２が貫設され、その通孔３２と芯ヘッド２の通孔２２は対応する。ナット３を納置孔２１に定位し、また綿芯２３をナット３通孔３２に通し、続いて芯ヘッド２の通孔２２を塞いで定位する。この他、ネジカバー４は、瓶頚１１に嵌合され、上端面には開口４１が成形され、瓶口１２を塞がず、綿芯２３は開口４１を経て瓶口１２から瓶頚１１を通って瓶体１内部へ入る。更にネジカバー４の環周辺面にはネジ紋４１が成形され、芯ヘッド２の納置孔２１にナット３を入れてネジカバー４をネジ止めし、芳香器が組み立てられる。瓶体１にアロマオイルを注入すると、そのアロマオイルは綿芯２３から染み込み、芯ヘッド２へ導かれる。芯ヘッド２は陶磁材であるため、アロマオイルによって芯ヘッドが濡れ、その香気が大気中に放たれる。アロマオイルにはアルコールを入れないため、オイルが綿芯２３から芯ヘッドに伝わっても揮発しにくく、瓶体内のオイルは長時間使用できる。このナット３及びネジカバー４の構造によって、瓶体１を芯ヘッド２に結合すると、密閉状態となり、オイルの蒸発を防止する。また万一容器が倒れてもこぼれないので、無駄にすることがない。
【考案の開示】
【考案が解決しようとする課題】
【０００４】
解決しようとする問題点は、ナット３及びネジカバー４の構造は、部品が多く、コストを上げるだけでなく、組立工程も増える点である。
【課題を解決するための手段】
【０００５】
本考案は、主に芯ヘッドの底側に上向き凹形の嵌合槽を設置し、嵌合槽の中央には嵌入孔を貫設する。また、子の嵌入孔に凸形の套筒を入れる。套筒の外周には凹んだ環溝が成形され、そこに軟質材のリング座金を設置する。更に套筒の中孔開口には挟持爪が設置され、綿芯は套筒の中孔に挿し込み、挟持爪で固定し、芯ヘッドを套筒で瓶体の瓶口に挿し込み、リング座金で瓶頚の内壁をしっかりと締め、瓶口を密封状態にすることを最も主要な特徴とする。
【考案の効果】
【０００６】
本考案の無火式磁器芳香瓶は、構造を簡単にして、且つオイルの外漏れを防止するという利点がある。
【実施例１】
【０００７】
図１は、図４、５に示すとおり、本考案は、瓶体５及び芯ヘッド６から構成される。芯ヘッド６は、底側中央に陥没した嵌合槽６１が成形され、その嵌合槽６１中央には嵌入孔６２が貫設され、その嵌入孔６２に套筒６３を入れて定位させる。套筒６３の外周には環溝６３１が成形され、軟性材のリング座金６４を環溝６３１に設置して止める。更に套筒６３の中孔６３２開口には複数個の挟持爪６３３が等間隔に設置される。綿芯６４は中孔６３２から挿入し、挟持爪６３３で定位する。瓶体５の上は、瓶口を具えた瓶頚５１が成形され、且つ瓶口の内径は、套筒６３の外形に相当し、套筒６３を嵌入する。
【０００８】
使用時、アロマオイルを瓶体５へ注入し、芯ヘッド６を套筒６３で瓶体の瓶口を塞ぎ、また瓶口の先端を芯ヘッド６の嵌合槽６１上壁に合せると、組立が完成する。アロマオイルは綿芯６５から陶磁材の芯ヘッド６へ伝わり、香気を外へ放つ。套筒６３外周面の環溝６３１にはリング座金６４が設置され、套筒６３が瓶口を塞ぎ、リング座金６４が瓶頚５１の内壁で締まる。また瓶口は確実に密封されるため、瓶体５内のアロマオイルが外漏れしたり、蒸発したりすることがない。
【０００９】
本考案は、芯ヘッド６底側の嵌合槽６１にリング座金６４を設置した套筒６３が塞ぎ、瓶体５と結合するため、組立が簡単なだけでなく、同時に部品数を減らし、有効に製造コストを下げる。また、瓶体５と芯ヘッド６の結合によって、簡単な差込をするだけなので、使用者は芯ヘッド６を外してアロマオイルを充填する時、簡単に行える。
【実施例２】
【００１０】
図７，８に示すとおり、套筒６３外周に小さな槽溝６３４を成形し、そこに円型リング６６を掛合して定位させる。これによって芯ヘッド６を套筒６３によって瓶体５に定位した後、円形リング６６が瓶頚５１内壁をしっかりと押さえ、瓶口を密閉状態にして、瓶体５内のアロマオイルの外漏れもしくは揮発を防ぐ。
【図面の簡単な説明】
【００１１】
【図１】公知の無火式磁器芳香瓶の分解図である。
【図２】公知の図１組立後の断面図である。
【図３】公知の立体図である。
【図４】本考案の実施例分解図である。
【図５】本考案の図４組立語の断面図である。
【図６】本考案の図４立体図である。
【図７】本考案の別実施例の分解図である。
【図８】本考案の別実施例図７の組立後断面図である。
【符号の説明】
【００１２】
１        瓶体
１１        瓶頚
１２        瓶口
２        芯ヘッド
２１        納置孔
２２        通孔
２３        綿芯
３        ナット
３１        ネジ紋
３２        通孔
４        ネジカバー
４１        開口
４２        ネジ紋
５        瓶体
５１        瓶頚
６        芯ヘッド
６１        嵌合槽
６２        嵌合孔
６３        套筒
６３１        環溝
６３２        中孔
６３３        挟持爪
６３４        槽溝
６４        リング座金
６５        綿芯
６６０        型リング
【図１】
0003110141.tif 000003
【図２】
0003110141.tif 000004
【図３】
0003110141.tif 000005
【図４】
0003110141.tif 000006
【図５】
0003110141.tif 000007
【図６】
0003110141.tif 000008
【図７】
0003110141.tif 000009
【図８】
0003110141.tif 000010